(57)【要約】  本発明は、捕食性カブリダニ種の個体群と、前記カブリダニ種を飼育するため、または作物に前記カブリダニ種を放飼するために利用することができる人工寄主個体群とを含む新規ダニ構成物に関する。さらなる態様によると、本発明は、捕食性カブリダニ種の飼育方法、前記ダニ構成物の使用、および前記ダニ構成物を利用する作物における生物学的害虫防除方法に関する。【特許請求の範囲】
【請求項１】
捕食性カブリダニ種の飼育個体群と、
人工寄主個体群と、
任意選択的に、前記個体群の個体のための担体と
を含むダニ構成物であって、
前記人工寄主個体群が、サトウダニ科（Ｃａｒｐｏｇｌｙｐｈｉｄａｅ）から、例えばサトウダニ属（Ｃａｒｐｏｇｌｙｐｈｕｓ）、好ましくはサトウダニ（Ｃａｒｐｏｇｌｙｐｈｕｓ  ｌａｃｔｉｓ）種から選択される少なくとも１つの種を含むことを特徴とするダニ構成物。
【請求項２】
前記捕食性カブリダニ種が、
Ａｍｂｌｙｓｅｉｉｎａｅの亜科から、例えば、
Ａｍｂｌｙｓｅｉｕｓ属、例えばＡｍｂｌｙｓｅｉｕｓ  ａｎｄｅｒｓｏｎｉ、Ａｍｂｌｙｓｅｉｕｓ  ｓｗｉｒｓｋｉｉまたはラーゴカブリダニ（Ａｍｂｌｙｓｅｉｕｓ  ｌａｒｇｏｅｎｓｉｓ）から、
Ｅｕｓｅｉｕｓ属、例えばイチレツカブリダニ（Ｅｕｓｅｉｕｓ  ｆｉｎｌａｎｄｉｃｕｓ）、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓまたはＥｕｓｅｉｕｓ  ｃｉｔｒｉから、
Ｎｕｓｅｉｕｌｕｓ属、例えばＮｅｏｓｅｉｕｌｕｓ  ｂａｒｋｅｒｉ、ミヤコカブリダニ（Ｎｅｏｓｅｉｕｌｕｓ  ｃａｌｉｆｏｒｎｉｃｕｓ）、ククメリスカブリダニ（Ｎｅｏｓｅｉｕｌｕｓ  ｃｕｃｕｍｅｒｉｓ）、ケナガカブリダニ（Ｎｅｏｓｅｉｕｌｕｓ  ｌｏｎｇｉｓｐｉｎｏｓｕｓ）、ケナガカブリダニ（Ｎｅｏｓｅｉｕｌｕｓ  ｗｏｍｅｒｓｌｅｙｉ）、Ｎｅｏｓｅｉｕｌｕｓ  ｉｄａｅｕｓまたはファラシスカブリダニ（Ｎｅｏｓｅｉｕｌｕｓ  ｆａｌｌａｃｉｓ）から、
Ｔｙｐｈｌｏｄｒｏｍａｌｕｓ属、例えばＴｙｐｈｌｏｄｒｏｍａｌｕｓ  ｌｉｍｏｎｉｃｕｓまたはＴｙｐｈｌｏｄｒｏｍａｌｕｓ  ｐｅｒｅｇｒｉｎｕｓから、
Ｔｙｐｈｌｏｄｒｏｍｉｐｓ属、例えばＴｙｐｈｌｏｄｒｏｍｉｐｓ  ｍｏｎｔｄｏｒｅｎｓｉｓから、
Ｔｙｐｈｌｏｄｒｏｍｉｎａｅ亜科から、例えば、
Ｇａｌｅｎｄｒｏｍｕｓ属、例えばＧａｌｅｎｄｒｏｍｕｓ  ｏｃｃｉｄｅｎｔａｌｉｓから、
Ｔｙｐｈｌｏｄｒｏｍｕｓ属、例えばパイアイカブリダニ（Ｔｙｐｈｌｏｄｒｏｍｕｓ  ｐｙｒｉ）、Ｔｙｐｈｌｏｄｒｏｍｕｓ  ｄｏｒｅｅｎａｅまたはＴｙｐｈｌｏｄｒｏｍｕｓ  ａｔｈｉａｓａｅから
選択される、請求項１に記載の構成物。
【請求項３】
前記人工寄主個体群に適する食餌物質を含む、請求項１または２に記載の構成物。
【請求項４】
前記人工寄主個体群が、飼育個体群である、請求項１〜３のいずれか１項に記載の構成物。
【請求項５】
前記捕食性カブリダニ種の個体数が、人工寄主の個体数に対して、約１００：１から１：２０、例えば、約１：１から１：１０、例えば約１：４、１：５または１：７である、請求項１〜４のいずれか１項に記載の構成物。
【請求項６】
捕食性カブリダニを飼育するための方法であって、
請求項１〜５のいずれか１項に記載の構成物を提供するステップと、
前記捕食性カブリダニの個体に前記人工寄主個体群の個体を捕食させるステップと
を含む方法。
【請求項７】
前記構成物が、１８〜３５℃および／または相対湿度６０〜９５％で維持される、請求項６に記載の方法。
【請求項８】
前記構成物が、担体および適切な食餌物質を含み、前記人工寄主個体群が、その担体上に三次元飼育物として維持される、請求項６または７に記載の方法。
【請求項９】
捕食性カブリダニを飼育するための人工寄主としての、サトウダニ科から、例えばサトウダニ属、好ましくはサトウダニ種から選択されるコナダニの使用。
【請求項１０】
前記カブリダニが、
Ａｍｂｌｙｓｅｉｉｎａｅの亜科から、例えば、
Ａｍｂｌｙｓｅｉｕｓ属、例えばＡｍｂｌｙｓｅｉｕｓ  ａｎｄｅｒｓｏｎｉ、Ａｍｂｌｙｓｅｉｕｓ  ｓｗｉｒｓｋｉｉまたはラーゴカブリダニから、
Ｅｕｓｅｉｕｓ属、例えばイチレツカブリダニ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓまたはＥｕｓｅｉｕｓ  ｃｉｔｒｉから、
Ｎｕｓｅｉｕｌｕｓ属、例えばＮｅｏｓｅｉｕｌｕｓ  ｂａｒｋｅｒｉ、ミヤコカブリダニ、ククメリスカブリダニ、ケナガカブリダニ（Ｎｅｏｓｅｉｕｌｕｓ  ｌｏｎｇｉｓｐｉｎｏｓｕｓ）、ケナガカブリダニ（Ｎｅｏｓｅｉｕｌｕｓ  ｗｏｍｅｒｓｌｅｙｉ）、Ｎｅｏｓｅｉｕｌｕｓ  ｉｄａｅｕｓまたはファラシスカブリダニから、
Ｔｙｐｈｌｏｄｒｏｍａｌｕｓ属、例えばＴｙｐｈｌｏｄｒｏｍａｌｕｓ  ｌｉｍｏｎｉｃｕｓまたはＴｙｐｈｌｏｄｒｏｍａｌｕｓ  ｐｅｒｅｇｒｉｎｕｓから、
Ｔｙｐｈｌｏｄｒｏｍｉｐｓ属、例えばＴｙｐｈｌｏｄｒｏｍｉｐｓ  ｍｏｎｔｄｏｒｅｎｓｉｓから、
Ｔｙｐｈｌｏｄｒｏｍｉｎａｅ亜科から、例えば、
Ｇａｌｅｎｄｒｏｍｕｓ属、例えばＧａｌｅｎｄｒｏｍｕｓ  ｏｃｃｉｄｅｎｔａｌｉｓから、
Ｔｙｐｈｌｏｄｒｏｍｕｓ属、例えばパイアイカブリダニ、Ｔｙｐｈｌｏｄｒｏｍｕｓ  ｄｏｒｅｅｎａｅまたはＴｙｐｈｌｏｄｒｏｍｕｓ  ａｔｈｉａｓａｅから
選択される、請求項９に記載の使用。
【請求項１１】
請求項１〜５のいずれか１項に記載の構成物を保持する容器を含む、捕食性カブリダニを飼育するための飼育システム。
【請求項１２】
前記容器が、前記カブリダニの少なくとも１つの移動性生活期のための出口を含む、請求項１１に記載の飼育システム。
【請求項１３】
前記出口が、前記少なくとも１つの移動性生活期の持続性放飼をもたらすために適している、請求項１２に記載の飼育システム。
【請求項１４】
作物害虫を防除するための、請求項１〜５に記載の構成物または請求項１２または１３に記載の飼育システムの使用。
【請求項１５】
前記作物害虫が、コナジラミ、例えば、オンシツコナジラミ（Ｔｒｉａｌｅｕｒｏｄｅｓ  ｖａｐｏｒａｒｉｏｒｕｍ）またはタバココナジラミ（Ｂｅｍｉｓｉａ  ｔａｂａｃｉ）；アザミウマ、例えば、ネギアザミウマ（Ｔｈｒｉｐｓ  ｔａｂａｃｉ）、もしくはハナアザミウマ類（Ｆｒａｎｋｌｉｎｉｅｌｌａ  ｓｐｐ．）、例えばミカンキイロアザミウマ（Ｆｒａｎｋｌｉｎｉｅｌｌａ  ｏｃｃｉｄｅｎｔａｌｉｓ）；ハダニ、例えば、ナミハダニ（Ｔｅｔｒａｎｙｃｈｕｓ  ｕｒｔｉｃａｅ）；ホコリダニ、例えば、チャノホコリダニ（Ｐｏｌｙｐｈａｇｏｔａｒｓｏｎｅｍｕｓ  ｌａｔｕｓ）から選択される、請求項１４に記載の使用。
【請求項１６】
前記作物が、（温室）野菜作物、例えば、唐辛子（トウガラシ（Ｃａｐｓｉｃｕｍ  ａｎｎｕｕｍ））、茄子（ナス（Ｓｏｌａｎｕｍ  ｍｅｌｏｇｅｎａ））、ウリ科植物（ウリ科（Ｃｕｃｕｒｂｉｔａｃｅａｅ））、例えば胡瓜（キュウリ（Ｃｕｃｕｍｉｓ  ｓａｔｉｖａ））、メロン（マクワウリ（Ｃｕｃｕｍｉｓ  ｍｅｌｏ））、西瓜（スイカ（Ｃｉｔｒｕｌｌｕｓ  ｌａｎａｔｕｓ））；小果実（例えば、苺（オランダイチゴ（Ｆｒａｇａｒｉａ×ａｎａｎａｓｓａ）、木苺（キイチゴ（Ｒｕｂｕｓ  ｉｄｅａｕｓ）））；（温室）鑑賞作物（例えば、バラ、ガーベラ、キク）；または樹木作物、例えば、柑橘類（Ｃｉｔｒｕｓ  ｓｐｐ．）から選択される、請求項１５に記載の使用。
【請求項１７】
作物に請求項１〜５のいずれか１項に記載の構成物を供給することを含む、作物における生物学的害虫防除のための方法。
【請求項１８】
前記作物害虫が、コナジラミ、例えば、オンシツコナジラミまたはタバココナジラミ；アザミウマ、例えば、ネギアザミウマ、またはハナアザミウマ類、例えばミカンキイロアザミウマ；ハダニ、例えば、ナミハダニ；ホコリダニ、例えば、チャノホコリダニから選択される、請求項１７に記載の方法。
【請求項１９】
前記構成物が、多数の作物植物、好ましくは各作物植物の付近、例えば根本に前記構成物の一定量を施用することによって供給される、請求項１７または１８に記載の方法。
【請求項２０】
前記の量が、１〜１０ｍＬ、好ましくは２〜５ｍＬである、請求項１９に記載の方法。
【請求項２１】
前記構成物が、請求項１２〜１３に記載の飼育システム中で、前記飼育システムを多数の食物植物、好ましくは各食物植物の付近に配置することにより、例えば前記飼育システムを前記作物植物に吊るすことにより、供給される、請求項１７または１８に記載の方法。
【請求項２２】
前記作物が、（温室）野菜作物、例えば、唐辛子（トウガラシ（Ｃａｐｓｉｃｕｍ  ａｎｎｕｕｍ））、茄子（ナス（Ｓｏｌａｎｕｍ  ｍｅｌｏｇｅｎａ））、ウリ科植物（ウリ科（Ｃｕｃｕｒｂｉｔａｃｅａｅ））、例えば胡瓜（キュウリ（Ｃｕｃｕｍｉｓ  ｓａｔｉｖｕｓ））、メロン（マクワウリ（Ｃｕｃｕｍｉｓ  ｍｅｌｏ））、西瓜（スイカ（Ｃｉｔｒｕｌｌｕｓ  ｌａｎａｔｕｓ））；小果実（例えば、苺（オランダイチゴ（Ｆｒａｇａｒｉａ×ａｎａｎａｓｓａ））、木苺（キイチゴ（Ｒｕｂｓ  ｉｄｅａｕｓ）））；（温室）鑑賞作物（例えば、バラ、ガーベラ、キク）；または樹木作物、例えば、柑橘類（Ｃｉｔｒｕｓ  ｓｐｐ．）から選択される、請求項１７〜２１のいずれか１項に記載の方法。
【発明の詳細な説明】
【技術分野】
【０００１】
本発明は、第一の態様によると、新規ダニ構成物に関する。
【０００２】
第二の態様によると、本発明は、捕食性カブリダニ種の新規飼育方法に関する。
【０００３】
第三の態様によると、本発明は、捕食性カブリダニ種を飼育するための人工寄主としてのコナダニ類（Ａｓｔｉｇｍａｔｉｄ  ｍｉｔｅ）のサトウダニ（Ｃａｒｐｏｇｌｙｐｕｓ  ｌａｃｔｉｓ）の新規使用に関する。
【０００４】
第四および五の態様によると、本発明は、捕食性カブリダニ種を飼育するための新規飼育システム、および作物害虫の防除のためのこの飼育システムの使用に関する。
【０００５】
なお、さらなる態様によると、本発明は、本発明のダニ構成物を利用する、作物における生物学的害虫防除方法に関する。
【０００６】
後続の記述および特許請求の範囲における前記カブリダニの名前は、特に別様に述べられていない限り、ｄｅ  Ｍｏｒａｅｓ，Ｇ．Ｊ．ｅｔ  ａｌ．，２００４におけるものを参照するものである。参照する科および種の概要を図１に提供する。
【背景技術】
【０００７】
捕食性カブリダニ（カブリダニ科（Ｐｈｙｔｏｓｅｉｉｄａｅ））は、温室作物におけるハダニおよびアザミウマの生物学的防除に広く使用されている。温室作物において最も重要なアザミウマ種は、ミカンキイロアザミウマ（Ｗｅｓｔｅｒｎ  Ｆｌｏｗｅｒ  Ｔｈｒｉｐｓ）（ミカンキイロアザミウマ（Ｆｒａｎｋｌｉｎｉｅｌｌａ  ｏｃｃｉｄｅｎｔａｌｉｓ））およびネギアザミウマ（Ｏｎｉｏｎ  Ｔｈｒｉｐｓ）（ネギアザミウマ（Ｔｈｒｉｐｓ  ｔａｂａｃｉ））である。これらは、捕食性ダニ（ククメリスカブリダニ）およびＡｍｂｌｙｓｅｉｏｕｓ  ｂａｒｋｅｒｉ（Ｈａｎｓｅｎ，Ｌ．Ｓ．ａｎｄ  Ｇｅｙｔｉ，Ｊ．，１９８５；Ｒａｍａｋｅｒｓ，Ｐ．Ｍ．Ｊ，ａｎｄ  ｖａｎ  Ｌｉｅｂｕｒｇ，Ｍ．Ｊ．，１９８２；Ｒａｍａｋｅｒｓ，Ｐ．Ｍ．Ｊ．，１９８９；Ｓａｍｐｓｏｎ，Ｃ，１９９８；およびＪａｃｏｂｓｏｎ，Ｒ．Ｊ．，１９９５）ならびにＩｐｈｉｓｅｉｕｓ  ｄｅｇｅｎｅｒａｎｓ（Ｒａｍａｋｅｒｓ，Ｐ．Ｍ．Ｊ．ａｎｄ  Ｖｏｅｔ，Ｓ．Ｊ．Ｐ．，１９９６）で防除することができる。被食者不在の場合、これらのダニ種は、アマトウガラシ（トウガラシ（Ｃａｐｓｉｃｕｍ  ａｎｎｕｕｍ  Ｌ．）などの花粉の継続的供給をもたらす作物の中に定着し、居続けることができる。例えばキュウリおよび大部分の鑑賞作物などの花粉が自由に入手できない作物では、食餌が人工的に供給されない限り、これらのダニ種を用いることができない。これは、作物に植物の花粉を散布することによって行うことができる。
【０００８】
あるいは、（Ｓａｍｐｓｏｎ，Ｃ．（１９９８）によりまたは英国特許第２３９３８９０号に開示されているような）制御放飼システムをククメリスカブリダニに用いることができる。この制御放飼システムは、糠、酵母および小麦麦芽からなる食餌混合物を収容する区画を有するサッシェと、穀物ダニであるＴｙｒｏｐｈａｇｕｓ  ｐｕｔｒｅｓｃｅｎｔｉａｅ（ケナガコナダニ）の個体群と、捕食性ダニであるククメリスカブリダニの個体群とからなる。穀物ダニであるケナガコナダニは、その食餌混合物を用いて活動的個体群を発生させ、捕食性ダニ個体群のための人工寄主として役立つ。前記サッシェは、フックによって作物に吊るされ、４から６週間の期間にわたって捕食性ダニを継続的に放飼することとなる。
【０００９】
ククメリスカブリダニは、食餌の存在に対する数の反応（ｎｕｍｅｒｉｃａｌ  ｒｅｓｐｏｎｓｅ）がどちらかと言えば弱いため、十分な害虫防除を有するには大量の捕食性ダニを作物中に放飼しなければならない。これは、上で説明した食餌混合物を用いて十分な量の穀物ダニであるケナガコナダニを飼育することができ、それらを用いて非常に大量のククメリスカブリダニを経済的に飼育することができるため、経済的に可能である。
【００１０】
アザミウマに対して、より高い捕食率および数の反応を有する、さらにずっと有効な捕食性ダニ、例えばＴｙｐｈｌｏｄｒｏｍａｌｕｓ  ｌｉｍｏｎｉｃｕｓおよびＩｐｈｉｓｅｉｕｓ  ｄｅｇｅｎｅｒａｎｓも存在するが、ククメリスカブリダニは、容易に、非常に大量に育成できるため、なお、最も一般的に用いられている種である。
【００１１】
Ｉｐｈｉｓｅｉｕｓ  ｄｅｇｅｎｅｒａｎｓは、花粉の継続的供給をもたらし、それによってダニを殖やすことができるトウゴマ植物（Ｃａｓｔｏｒ  Ｂｅａｎ  Ｐｌａｎｔ）（ヒマ（Ｒｉｃｉｎｕｓ  ｃｏｍｍｕｎｉｓ  Ｌ．、トウダイクサ科（Ｅｕｐｈｏｒｉｂｉａｃｅａｅ）））を用いて大量飼育することができる。それらの植物を成長させるために必要な広い面積および温室への高い投資のため、Ｉｐｈｉｓｅｉｕｓ  ｄｅｇｅｒｅｎａｎｓの原価は、ククメリスカブリダニと比較して非常に高い。この高い原価のため、飼育者は、非常に少ない数、一般には１ヘクタール当たり１０００〜２０００匹の捕食性ダニしか放飼できない。従って、Ｉｐｈｉｓｅｉｕｓ  ｄｅｇｅｎｅｒａｎｓの施用は、捕食性ダニが害虫防除に十分な個体群を発生することができる十分な花粉を提供する唐辛子（トウガラシ（Ｃａｐｓｉｃｕｍ  ａｎｎｕｕｍ  Ｌ．））に限定される。Ｉｐｈｉｓｅｉｕｓ  ｄｅｇｅｎｅｒａｎｓの個体群は、アザミウマ害虫個体群に対して有意な影響を及ぼすことができるために十分な強度で作物中に存在するまでに、数ヶ月かかることもある。
【００１２】
ナミハダニ（Ｔｅｔｒａｎｙｃｈｕｓ  ｕｒｔｉｃａｅ）は、捕食性ダニを放飼することにより、世界中の温室および屋外作物において防除に成功している。最も重要な種は、生物学的防除用に市販されている最も古いダニであるチリカブリダニ（Ｐｈｙｔｏｓｅｉｕｌｕｓ  ｐｅｒｓｉｍｉｌｉｓ）（Ｈｕｓｓｅｙ，Ｎ．Ｗ．ａｎｄ  Ｓｃｏｐｅｓ，Ｎ．Ｅ．Ａ．，１９８５）、およびミヤコカブリダニ（Ｎｅｏｓｅｉｕｌｕｓ  ｃａｌｉｆｏｒｎｉｃｕｓ）（Ｗｅｉ−Ｌａｎ  Ｍａ  ａｎｄ  Ｌａｉｎｇ，Ｊ．Ｅ．，１９７３）である。両方の捕食性ダニが、温室内のマメ植物（インゲンマメ（Ｐｈａｓｅｏｌｕｓ  ｖｕｌｇａｒｉｓ））においてそれらの天然寄主ナミハダニを用いて大量飼育されている。Ｃａｓｔａｇｎｏｌｉ，Ｍ．およびＳｉｍｏｎｉ，Ｓ．（１９９９）は、チリダニ  Ｄｅｒｍａｔｏｐｈａｇｏｉｄｅｓ  ｆａｒｉｎａｅ（コナヒョウヒダニ）を用いるミヤコカブリダニの大量飼育方法も記載している。しかし、チリダニ（コナヒョウヒダニおよびヤケヒョウヒダニ（Ｄｅｒｍａｔｏｐｈａｇｏｉｄｅｓ  ｐｔｅｒｏｎｙｓｓｉｎｕｓ））は、アレルギー性喘息、鼻炎、結膜炎および皮膚炎に関与する重要なアレルゲンを生じさせる。従って、作物において捕食ダニを放飼するための制御放飼システムにおけるそれらの使用には不利益がある。さらなる不利益としては、チリダニを大量飼育に用いるときには広範な対策が賢明であり、一定のケースでは労働者の保護が必要である。
【００１３】
科学文献には、コナジラミを捕食する幾つかの捕食ダニが報告されている（Ｔｅｉｃｈ，Ｙ．１９６６；Ｓｗｉｒｓｋｉ，Ｅ．ｅｔ  ａｌ．，１９６７；Ｎｏｍｉｋｏｕ，Ｍ．ｅｔ  ａｌ．，２００１）。残念なことに、今までのところ、コナジラミの生物学的防除用に市販されている捕食性ダニはまだない。おそらく、捕食ダニがコナジラミを捕食することが知られているにもかかわらず、コナジラミに対する増加性生物学的防除因子としてのそれらの使用性能が、当分野において認知されていないためである。増加性生物学的防除の際、生物作用因子が、害虫防除のために作物中に放飼される。さらにいっそう重要なこととして、増加性生物学的防除因子としてのそれらの使用性能にとって最も重要なことである作物への大量の捕食性ダニの放飼を可能にすることのために必要な経済的大量飼育システムであって、当分野において利用できる、コナジラミに対して効く可能性がある捕食性ダニ種用のシステムはない。
【００１４】
その代わりとして、コナジラミは、温室コナジラミ（Ｔｒｉａｌｅｕｒｏｄｅｓ  ｖａｐｏｒａｒｉｏｒｕｍ（オンシツコナジラミ））に対して捕食寄生蜂、例えばオンシツツヤコバチ（Ｅｎｃａｒｓｉａ  ｆｏｒｍｏｓａ）およびサバクツヤコバチ（Ｅｒｅｔｍｏｃｅｒｕｓ  ｅｒｅｍｉｃｕｓ）を、ならびに、タバココナジラミＢｅｍｉｓｉａ  ｔａｂａｃｉ（タバココナジラミ）に対して捕食寄生蜂であるムンダズツヤコバチ（Ｅｒｅｔｍｏｃｅｒｕｓ  ｍｕｎｄｕｓ）を放飼することによって防除される。また、例えば捕食性メクラカメムシであるＭａｃｒｏｌｏｐｈｕｓ  ｃａｌｉｇｉｎｏｓｕｓおよびテントウムシ科昆虫であるＤｅｌｐｈａｓｔｕｓ  ｃａｔａｌｉｎａｅなどの幾つかの捕食者が大量飼育され、放飼されている。これらすべての捕食寄生者および捕食者の大量飼育は、植物の温室生産とコナジラミを伴い、これは少なからぬ投資を必要とする。
【００１５】
飼育培地内の人工寄主ダニを用いて経済的に大量に飼育することができる捕食性ダニでのコナジラミおよび他の作物害虫の生物学的防除は、このような飼育システムには限られた面積が使用されるため、非常に有利である。さらに、このようなシステムでは捕食性ダニの飼育を制御された人工気候室内で行うことができる。それ故、温室および作物への大きな投資を必要としない。
【００１６】
最近の研究は、アザミウマ（ネギアザミウマおよびミカンキイロアザミウマ）ならびにコナジラミ（オンシツコナジラミおよびタバココナジラミ）の非常に効率的な生物学的防除因子としての捕食性ダニであるＡｍｂｌｙｓｅｉｕｓ  ｓｗｉｒｓｋｉｉの可能性を指摘している（Ｎｏｍｉｋｏｕ，Ｍ．，Ｊａｎｓｓｅｎ，Ａ．，Ｓｃｈｒａａｇ，Ｒ．ａｎｄ  Ｓａｂｅｌｉｓ，Ｍ．Ｗ．，２００１；Ｍｅｓｓｅｌｉｎｋ，Ｇ．＆  Ｓｔｅｅｎｐａａｌ，Ｓ．２００３；Ｍｅｓｓｅｌｉｎｋ，Ｇ．２００４；Ｍｅｓｓｅｌｉｎｋ，Ｇ．＆  Ｓｔｅｅｎｐａａｌ，Ｓ．２００４；Ｂｏｌｃｋｍａｎｓ，Ｋ．＆  Ｍｏｅｒｍａｎ，Ｍ．２００４；Ｍｅｓｓｅｌｉｎｋ，Ｇ．＆  Ｐｉｊｎａｋｋｅｒ，Ｊ．２００４）。Ａｍｂｌｙｓｅｉｕｓ  ｓｗｉｒｓｋｉｉは、害虫および植物花粉の存在に対して非常に強い数の反応を示した。これは、良好な生物学的防除を達成するために放飼しなければならないダニの数が、ククメリスカブリダニと比較してずっと少ないことを意味する。１つの試験では、アマトウガラシ植物の葉１枚につき１匹のＡｍｂｌｙｓｅｉｕｓ  ｓｗｉｒｓｋｉｉの放飼により、結果として、葉１枚につき３０匹のククメリスカブリダニを放飼したときと同レベルのミカンキイロアザミウマが防除された（Ｂｏｌｃｋｍａｎｓ，Ｋ．＆  Ｍｏｅｒｍａｎ，Ｍ．２００４）。
【００１７】
先行技術により、チロファグス属（Ｔｙｒｏｐｈａｇｕｓ）、特に、ケナガコナダニ（Ｔｙｒｏｐｈａｇｕｓ  ｐｕｔｒｅｓｃｅｎｔｉａｅ）、Ｔｙｒｏｐｈａｇｕｓ  ｔｒｏｐｉｃｕｓ、Ｔｙｒｏｐｈａｇｕｓ  ｃａｓｅｉ（Ｓａｍｐｓｏｎ，Ｃ．，１９９８；Ｊａｃｏｂｓｏｎ，Ｒ．Ｊ．，１９９５；Ｂｅｎｎｉｓｏｎ，Ｊ．Ａ．ａｎｄ  Ｒ．Ｊａｃｏｂｓｏｎ，１９９１；Ｋａｒｇ  ｅｔ  ａｌ．，１９８７；および英国特許第２９３８９０号）から、ならびにコナダニ属（Ａｃａｒｕｓ）、特に、アシブトコナダニ（Ａｃａｒｕｓ  ｓｉｒｏ）（Ｂｅｇｌｙａｒｏｖ  ｅｔ  ａｌ．，１９９０）およびＡｃａｒｕｓ  ｆａｒｒｉｓ（Ｈａｎｓｅｎ，Ｌ．Ｓ．  ａｎｄ  Ｊ．Ｇｅｙｔｉ，１９８５；Ｒａｍａｋｅｒｓ，Ｐ．Ｍ．Ｊ．およびｖａｎ  Ｌｉｅｂｕｒｇ，Ｍ．Ｊ．，１９８２）から（これらは、すべて、コナダニ科（Ａｃａｒｉｄｅａ）に属する）の人工寄主ダニ種を利用する、ククメリスカブリダニおよびＡｍｂｌｙｓｅｉｕｓ  ｂａｒｋｅｒｉの飼育が説明されている。
【００１８】
ククメリスカブリダニの最も一般的な飼育寄主は、ケナガコナダニである。ケナガコナダニの重要な不利益は、それが作物上に存在すると、例えば（Ｓａｍｐｓｏｎ，Ｃ．，１９９８）に記載されている、または、英国特許第２９３８９０号において開示されているものに類似の徐放性の飼養サッシェに入れて人工寄主として用いると、幼植物の葉に対する植物被害の原因となり得ることである。これは特にキュウリ作物において、高湿度の期間、特にこれと低い光強度とが組み合わさった場合に起こる。
【００１９】
Ｃａｓｔａｇｎｏｌｉ  ｅｔ  ａｌ．は、チリダニ・コナヒョウヒダニを人工飼育寄主として用いてミヤコカブリダニ（Ｃａｓｔａｇｎｏｌｉ，Ｍ．ａｎｄ  Ｓ．Ｓｉｍｏｎｉ，１９９９）およびククメリスカブリダニ（Ｃａｓｔａｇｎｏｌｉ，Ｍ．，１９８９）を大量飼育する可能性も記載している。しかし、チリダニ（コナヒョウヒダニおよびヤケヒョウヒダニ）は、アレルギー性喘息、鼻炎、結膜炎および皮膚炎に関与する重要なアレルゲンを生じさせる。
【００２０】
従って、捕食性ダニなどの有益なダニを大量飼育するために用いることができる更なる人工寄主が、当分野において必要とされている。特に、Ａｍｂｌｙｓｅｉｕｓ  ｓｗｉｒｓｋｉｉの飼育のためである。これについて、当分野では、花粉（Ｍｅｓｓｅｌｉｎｋ，Ｇ．＆  Ｐｉｊｎａｋｋｅｒ，Ｊ．２００４）または鱗翅目の昆虫であるガイマイツヅリガ（Ｃｏｒｃｙｒａ  ｃｅｐｈａｌｏｎｉｃａ）もしくはスジコナマダラメイガ（Ｅｐｈｅｓｔｉａ  ｋｕｅｈｎｉｅｌｌａ）からの卵（Ｒｏｍｅｉｔｈ，Ａ．Ｈ．Ｍ．ｅｔ  ａｌ．，２００４）を使用する捕食性ダニの飼育しか開示されていない。
【００２１】
花粉での飼育には、トウゴマ植物（トウゴマ）などの植物を生産するための大きな温室面積、または屋外で蒲（ガマ属の一種（Ｔｙｐｈａ  ｓｐｐ．））などの適切な植物の花粉を収集することが必要である。屋外での植物花粉の収集は、非常に大きな労働力を要し、限られた量しか収集することができない。蜜蜂によって収集された植物花粉は、捕食性ダニの飼育には適さない。
【００２２】
鱗翅目の昆虫の卵を用いる飼育は、生産施設への大きな投資が必要であり、従って、非常に費用がかかる。
【００２３】
上記に鑑みて、当分野では、捕食性カブリダニの大量飼育に利用することができる代替人工寄主ダニが必要とされている。
【発明の開示】
【００２４】
サトウダニ科（Ｃａｒｐｏｇｌｙｐｈｙｄａｅ）のコナダニ（Ａｓｔｉｇｍａｔｉｄ  ｍｉｔｅ）種を非常に多数の捕食性カブリダニ種のための人工寄主として使用できることが、今般、判明した。
【００２５】
従って、第一の態様によると、本発明は、捕食性カブリダニ種の飼育個体群と、サトウダニ科から、例えば、サトウダニ属（Ｃａｒｐｏｇｌｙｐｈｕｓ）、好ましくは、乾燥果実ダニであるサトウダニ（Ｃａｒｐｏｇｌｙｐｈｕｓ  ｌａｃｔｉｓ）（Ｌｉｎｎｅ，１７５８）（ダニ目：サトウダニ科）から選択される少なくとも１つの種を含む人工寄主個体群とを含むダニ構成物に関する。
【００２６】
サトウダニ科のダニ、特にサトウダニを用いて飼養することができる可能性が最も高い捕食性カブリダニ種は、狭食性捕食性ダニ種である。狭食性捕食性ダニ種は、その生育（成長および繁殖）のための食餌源として、少なくとも２、３種類の異なる被食種を利用することができる捕食性カブリダニ種である。従って、本明細書における用語「狭食性捕食性ダニ種」は、その成育の食餌源として多数の被食種を利用する捕食性ダニである多食性ダニ種を含む。それ故、用語「狭食性捕食性ダニ種」は、非単食性捕食性ダニ種を意味すると理解されるべきである。
【００２７】
人工寄主種は、捕食性カブリダニとは異なる自然生息場所に棲む種であるが、それにもかかわらず、１つ以上の生活期の人工寄主が、少なくとも１つの生活期の捕食性カブリダニにとって適当な被食者である。最も重要なこととして、捕食性カブリダニは、発生する能力を有し、また人工寄主の食餌を用いて飼養すると繁殖して、その飼育個体群の個体数が増大できる能力がある。
【００２８】
捕食性カブリダニの自然生息場所は、それらが有害生物（昆虫およびダニ）を捕食する植物上にある。ｄｅ  Ｍｏｒａｅｓ  ｅｔ  ａｌ．，２００４により説明されているように、それらをそれらの自然生息場所から単離することができる。
【００２９】
サトウダニ科のダニは、Ｈｕｇｈｅｓ，Ａ．Ｍ．（１９７７）により説明されている。この文献の開示を基に、当業者は、この科からの特定の種をそれらの自然生息場所から単離することができる。サトウダニは、様々な保存有機材料の上および中で発生する普遍種である。これは、主として、乾燥果実、例えば、乾燥イチジク、乾燥プルーン、干しブドウなどの上、および蜜蜂の巣箱内の堆積物上で見出される（Ｈｕｇｈｅｓ，Ａ．Ｍ．，１９７７；Ｃｈｍｉｅｌｅｗｓｋｉ，Ｗ．，１９７１（ａ）；Ｃｈｍｉｅｌｅｗｓｋｉ，Ｗ．，１９７１（ｂ））。
【００３０】
従って、本発明の構成物は、ダニの新規共棲を提供し、これは、捕食性カブリダニが、サトウダニ科のダニとは異なる生息場所に棲むので、自然には起こらない。
【００３１】
本発明の構成物は、捕食性カブリダニの大量飼育のみに適するのではない。捕食性カブリダニの移動捕食生活期、またはこれらの移動性生活期に発展し得る生活期も含むので、生物的作物保護因子として利用することもできる。
【００３２】
好ましい実施形態において、本構成物は、個体群の個体のための担体を含む。この担体は、個体に担体表面を提供するために適している任意の固体材料であってもよい。好ましくは、前記担体は、ダニ個体群が生じさせる代謝ガスおよび熱を交換することができる多孔質培地を提供する。適する担体の例は、植物材料、例えば、（小麦）ふすま、蕎麦殻、もみ殻、おがくず、粗挽きトウモロコシなどである。
【００３３】
前記人工寄主個体群に適する食餌物質を前記構成物に対して加えれば、さらに好ましい。あるいは、前記担体自体が、適する食餌物質を含むことができる。適する食餌物質は、Ｐａｒｋｉｎｓｏｎ，Ｃ．Ｌ．，１９９２；Ｓｏｌｏｍｏｎ，Ｍ．Ｅ．＆  Ｃｕｎｎｉｎｇｔｏｎ，Ａ．Ｍ．，１９６３；Ｃｈｍｉｅｌｅｗｓｋｉ，Ｗ，１９７１ａ；Ｃｈｍｉｅｌｅｗｓｋｉ，Ｗ，１９７１ｂまたは英国特許第２３９３８９０号によって説明されているものと同様であり得る。
【００３４】
本構成物の好ましい実施形態によると、前記捕食性カブリダニは、
Ａｍｂｌｙｓｅｉｉｎａｅの亜科から、例えば、
Ａｍｂｌｙｓｅｉｕｓ属、例えばＡｍｂｌｙｓｅｉｕｓ  ａｎｄｅｒｓｏｎｉ、Ａｍｂｌｙｓｅｉｕｓ  ｓｗｉｒｓｋｉｉまたはラーゴカブリダニ（Ａｍｂｙｓｅｉｕｓ  ｌａｒｇｏｅｎｓｉｓ）から、
Ｅｕｓｅｉｕｓ属、例えばイチレツカブリダニ（Ｅｕｓｅｉｕｓ  ｆｉｎｌａｎｄｉｃｕｓ）、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓまたはＥｕｓｅｉｕｓ  ｃｉｔｒｉから、
Ｎｕｓｅｉｕｓ属、例えばＮｅｏｓｅｉｕｌｕｓ  ｂａｒｋｅｒｉ、ミヤコカブリダニ、ククメリスカブリダニ、ケナガカブリダニ（Ｎｅｏｓｅｉｕｌｕｓ  ｌｏｎｇｉｓｐｉｎｏｓｕｓ）、ケナガカブリダニ（Ｎｅｏｓｅｉｕｌｕｓ  ｗｏｍｅｒｓｌｅｙｉ）、Ｎｅｏｓｅｉｕｌｕｓ  ｉｄａｅｕｓまたはファラシスカブリダニ（Ｎｅｏｓｅｉｕｌｕｓ  ｆａｌｌａｃｉｓ）から、
Ｔｙｐｈｌｏｄｒｏｍａｌｕｓ属、例えばＴｙｐｈｌｏｄｒｏｍａｌｕｓ  ｌｉｍｏｎｉｃｕｓまたはＴｙｐｈｌｏｄｒｏｍａｌｕｓ  ｐｅｒｅｇｒｉｎｕｓから、
Ｔｙｐｈｌｏｄｒｏｍｉｐｓ属、例えばＴｙｐｈｌｏｄｒｏｍｉｐｓ  ｍｏｎｔｄｏｒｅｎｓｉｓから、
Ｔｙｐｈｌｏｄｒｏｍｉｎａｅ亜科から、例えば、
Ｇａｌｅｎｄｒｏｍｕｓ属、例えばＧａｌｅｎｄｒｏｍｕｓ  ｏｃｃｉｄｅｎｔａｌｉｓから、
Ｔｙｐｈｌｏｄｒｏｍｕｓ属、例えばパイアイカブリダニ（Ｔｙｐｈｌｏｄｒｏｍｕｓ  ｐｙｒｉ）、Ｔｙｐｈｌｏｄｒｏｍｕｓ  ｄｏｒｅｅｎａｅまたはＴｙｐｈｌｏｄｒｏｍｕｓ  ａｔｈｉａｓａｅから
選択される。これらの捕食性カブリダニ種は、狭食性捕食性ダニ種とみなすことができる。
【００３５】
好ましくは、Ａｍｂｌｙｓｅｉｕｓ  ｓｗｉｒｓｋｉｉ  Ａｔｈｉａｓ−Ｈｅｎｒｉｏｔ，１９６２（Ｃｈａｎｔ  ａｎｄ  ＭｃＭｕｒｔｒｙ），２００４，（＝Ｔｙｐｈｌｏｄｒｏｍｉｐｓ  ｓｗｉｒｓｋｉｉ（Ａｔｈｉａｓ−Ｈｅｎｒｉｏｔ），１９６２，Ｄｅ  Ｍｏｒａｅｓ  ｅｔ  ａｌ．，２００４）のような狭食性捕食性ダニが、選択される。この種のための人工寄主ダニを用いた飼育は、当分野において開示されていない。本発明は、サトウダニ科の種を人工寄主として使用することによるＡｍｂｌｙｓｅｉｕｓ  ｓｗｉｒｓｋｉｉの経済的な飼育に用いることができるダニ構成物を、今般、初めて開示するものである。Ａｍｂｌｙｓｅｉｕｓ  ｓｗｉｒｓｋｉｉを増加性の生物学的害虫防除因子として使用することを可能にする。しかし、本発明の一定の実施形態では、捕食性カブリダニ種が、Ａｍｂｌｙｓｅｉｕｓ  ｓｗｉｒｓｋｉｉ以外の種から選択されることが理解されるべきである。
【００３６】
異なる捕食性カブリダニ種系統間で、人工寄主の許容差が観察される場合がある。さらに、選択的飼養により特定の人工寄主に適合する系統を飼養することが可能な場合もある。
【００３７】
本明細書において、用語「飼育」は、有性生殖による個体群の繁殖および増加を含むと理解しなければならない。
【００３８】
飼育個体群は、両方の性の成熟成体、および／または性的に成熟した成体へと成熟することができる他の生活期の両方の性の個体、例えば卵および／または若虫を含むことができる。あるいは、この飼育個体群は、１つ以上の受精した雌を含むことができる。本質において、この飼育個体群は、有性生殖によりその個体数を増加することができる。
【００３９】
好ましくは、前記人工寄主個体群は、上で定義したとおりの飼育個体群であり、例えば、それ自体を維持することができ、またはある程度までそれ自体を発生させることさえできる。前記人工寄主が、飼育個体群として供給される場合、好ましくは、その人工寄主のための食餌物質も供給される。この食餌物質は、Ｓｏｌｏｍｏｎ，Ｍ．Ｅ．ａｎｄ  Ｃｕｎｎｉｎｇｔｏｎ，Ａ．Ｍ．，１９６３；Ｐａｒｋｉｎｓｏｎ，Ｃ．Ｌ．，１９９２；Ｒａｍａｋｅｒｓ，Ｐ．Ｍ．Ｊ．ａｎｄ  ｖａｎ  Ｌｉｅｂｕｒｇ，Ｍ．Ｊ．，１９８２；英国特許第２３９３８９０号に開示されているような食餌物質と同様であり得る。
【００４０】
前記人工寄主には、好ましくは、例えばサトウダニ（Ｃａｒｐｏｇｌｙｐｈｕｓ  ｌａｃｔｉｓ）が選択される。乾燥果実ダニとも呼ばれるサトウダニは、様々な保存有機物質の上および中で発生する普遍種である。これは、主として、乾燥果実、例えば、乾燥イチジク、乾燥プルーン、干しブドウなどの上、および蜜蜂の巣箱内の壊死組織片上で見出される（Ｈｕｇｈｅｓ，Ａ．Ｍ．，１９７７；Ｃｈｍｉｅｌｅｗｓｋｉ，Ｗ．，１９７１（ａ）；Ｃｈｍｉｅｌｅｗｓｋｉ，Ｗ．，１９７１（ｂ））。ケナガコナダニとは対照的に、サトウダニは、作物を傷める原因にならない。従って、この好ましい選択からの人工寄主は、その人工寄主個体群の個体が作物と接触できるような方法で本発明の構成物を作物保護に使用するとき、例えば、作物の上もしくは付近に直接施用するとき、または徐放性／制御／持続性放飼サッシェの中に入れて使用するとき、有利である。
【００４１】
サトウダニのさらなる利点は、普遍種であるとみなされることである。それ故、それを含む製品の国際取引は、外来種が多くの国で遭遇するような規制上の制約にほとんど遭遇しない。
【００４２】
また、サトウダニは、特に、Ａｍｂｌｙｓｅｉｕｓ  ｓｗｉｒｓｋｉｉに適する人工寄主であることが判明した。この捕食者は、多数の生活期、および一定の環境下ではすべての生活期のこの寄主を用いて飼養することができるからである。
【００４３】
本構成物において、捕食性カブリダニ種の個体数は、人工寄主の個体数に対して、約１０００：１から１：２０、例えば、約１００：１から１：２０、例えば１：１から１：１０、好ましくは、約１：４、１：５または１：７であり得る。
【００４４】
これらの相対数は、その構成物の特定の使用目的、および／または人工寄主でのカブリダニ個体群の発育の段階に依存し得る。一般に、人工寄主の個体が、カブリダニの個体数に対して過剰に存在する構成物は、十分な被食者がカブリダニに提供されるため、カブリダニ種の飼育に好ましい。しかし、カブリダニ個体群は、人工寄主を捕食しながら増加するので、カブリダニ種の個体の相対数は、増加する。
【００４５】
高い相対数の捕食性カブリダニを含む構成物は、より低い相対数を含む構成物から形成されてもよく、人工寄主を捕食することによって捕食性カブリダニの飼育個体数を増大させることができる。あるいは、低い相対数の捕食性カブリダニを含む構成物を、より高い相対数を含む構成物と（場合によっては担体および／または人工寄主に適する食餌物質と併せて）人工寄主のみを含む構成物を含む、より低い相対数を含む構成物とを混合することにより、形成することができる。
【００４６】
さらなる態様によると、本発明は、捕食性カブリダニ種を飼育するための方法に関する。本方法は、本発明の構成物を提供すること、および前記捕食性カブリダニの個体に前記人工寄主個体群の個体を捕食させることを含む。
【００４７】
前記捕食性カブリダニの最適な発生のために、本構成物は、例えば、１８〜３５℃、好ましくは２０〜３０℃、さらに好ましくは２０〜２５℃、最も好ましくは２２〜２５℃で維持される。適する相対湿度範囲は、７５〜９５％、好ましくは８０〜９０％の間である。これらの温度および相対湿度幅は、一般に、人工寄主種の維持にも適する。
【００４８】
前記構成物が、多孔質培地を提供できる担体と、人工寄主種に適する食餌物質とを含むこと、および前記人工寄主種が、その担体上に三次元培養物として維持されることが好ましい。このような三次元培養物では、人工寄主種のメンバーが、三次元で自由に動くことができる。このようにして、人工寄主種は担体のより大きな容積にはびこり、より最適に食餌物質を利用することができる。その人工寄主の個体に対する捕食性カブリダニ種の移動性期のサイズに鑑みて、一般に、捕食性カブリダニも、その人工寄主を採食すると、その担体の全容積にはびこることになる。好ましくは、この三次元培養物は、２つの次元の寸法が１つの時限の寸法より大きい三次元層、すなわち立体の層の中に担体を設けることによって得られる。具体例は、メートルオーダーの長さと幅およびセンチメートルオーダーの一定の厚さを有する水平層である。三次元層は、代謝熱およびガスを十分に交換することができ、且つ、二次元層に比べて大きな生産容積を提供するため、好ましい。
【００４９】
さらなる態様によると、本発明は、捕食性カブリダニを飼育するための人工寄主として、サトウダニ科から、例えばサトウダニ属、好ましくはサトウダニ種から選択されるコナダニを使用することを目的とする。
【００５０】
前記コナダニは、上で論じた理由のため、好ましくは、サトウダニ属から選択され、最も好ましくはサトウダニである。
【００５１】
前記捕食性カブリダニは、好ましくは、
Ａｍｂｌｙｓｅｉｉｎａｅの亜科から、例えば、
Ａｍｂｌｙｓｅｉｕｓ属、例えばＡｍｂｌｙｓｅｉｕｓ  ａｎｄｅｒｓｏｎｉ、Ａｍｂｌｙｓｅｉｕｓ  ｓｗｉｒｓｋｉｉまたはラーゴカブリダニ（Ａｍｂｙｓｅｉｕｓ  ｌａｒｇｏｅｎｓｉｓ）から、
Ｅｕｓｅｉｕｓ属、例えばイチレツカブリダニ（Ｅｕｓｅｉｕｓ  ｆｉｎｌａｎｄｉｃｕｓ）、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓまたはＥｕｓｅｉｕｓ  ｃｉｔｒｉから、
Ｎｅｏｓｅｉｕｌｕｓ属、例えばＮｅｏｓｅｉｕｌｕｓ  ｂａｒｋｅｒｉ、ミヤコカブリダニ、ククメリスカブリダニ、ケナガカブリダニ（Ｎｅｏｓｅｉｕｌｕｓ  ｌｏｎｇｉｓｐｉｎｏｓｕｓ）、ケナガカブリダニ（Ｎｅｏｓｅｉｕｌｕｓ  ｗｏｍｅｒｓｌｅｙｉ）、Ｎｅｏｓｅｉｕｌｕｓ  ｉｄａｅｕｓまたはファラシスカブリダニ（Ｎｅｏｓｅｉｕｌｕｓ  ｆａｌｌａｃｉｓ）から、
Ｔｙｐｈｌｏｄｒｏｍａｌｕｓ属、例えばＴｙｐｈｌｏｄｒｏｍａｌｕｓ  ｌｉｍｏｎｉｃｕｓまたはＴｙｐｈｌｏｄｒｏｍａｌｕｓ  ｐｅｒｅｇｒｉｎｕｓから、
Ｔｙｐｈｌｏｄｒｏｍｉｐｓ属、例えばＴｙｐｈｌｏｄｒｏｍｉｐｓ  ｍｏｎｔｄｏｒｅｎｓｉｓから、
Ｔｙｐｈｌｏｄｒｏｍｉｎａｅ亜科から、例えば、
Ｇａｌｅｎｄｒｏｍｕｓ属、例えばＧａｌｅｎｄｒｏｍｕｓ  ｏｃｃｉｄｅｎｔａｌｉｓから、
Ｔｙｐｈｌｏｄｒｏｍｕｓ属、例えばパイアイカブリダニ（Ｔｙｐｈｌｏｄｒｏｍｕｓ  ｐｙｒｉ）、Ｔｙｐｈｌｏｄｒｏｍｕｓ  ｄｏｒｅｅｎａｅもしくはＴｙｐｈｌｏｄｒｏｍｕｓ  ａｔｈｉａｓａｅから
選択される。
【００５２】
さらなる態様によると、本発明は、前記捕食性カブリダニを飼育するための飼育システムに関する。
【００５３】
本飼育システムは、本発明の構成物を保持する容器を含む。前記容器は、両方の個体群の個体を拘束するために適する任意のタイプのものであり得る。本飼育システムは、その内側と外側の間に代謝ガスおよび熱の交換を助長する手段、例えば通気穴を含むことができる。このような通気穴は、前記個体群の個体がその容器から逃げ出すことができないようにしなければならない。これは、例えば網でそれらの通気穴を覆うことによって行うことができる。
【００５４】
本飼育システムは、前記カブリダニ種の大量飼育に適し得る。あるいは、本飼育システムは、作物に捕食性カブリダニを放飼するために使用することもできる。この場合、前記容器を、一定の時期に移動性期の捕食性カブリダニを放飼するために適するようにすることができる。これは、開けることができる閉鎖開口部をその容器に設けることによって行うことができる。あるいは、またはそれと併せて、所与の時間間隔でその容器を離れる移動性期カブリダニ数を制限するような比較的小さな解放開口部を、その容器に設けることができる。このように、本飼育システムは、Ｓａｍｐｓｏｎ，Ｃ．，１９９８によりおよび英国特許第２３９３８９０号に開示されているような徐放性または持続開放性システムと同様に機能することができる。
【００５５】
作物に捕食性カブリダニを放飼するための飼育システムは、好ましくは、それを作物の中に吊るすことができ、または作物の根本に置くことができるような寸法である。作物の中に吊るすために、その容器に吊り下げ手段、例えばコードまたはフックを設けることができる。
【００５６】
さらなる態様によると、本発明は、商品作物における作物害虫を防除するための本構成物または飼育システムの使用を目的とする。
【００５７】
前記害虫は、コナジラミ、例えば、オンシツコナジラミまたはタバココナジラミ；アザミウマ、例えば、ネギアザミウマ、またはハナアザミウマ類（Ｆｒａｎｋｌｉｎｉｅｌｌａ  ｓｐｐ．）、例えばミカンキイロアザミウマ、ハダニ、例えば、ナミハダニ；ホコリダニ、例えば、チャノホコリダニ（Ｐｏｌｙｐｈａｇｏｔａｒｓｏｎｅｍｕｓ  ｌａｔｕｓ）から選択することができる。捕食性カブリダニ  Ａｍｂｌｙｓｅｉｕｓ  ｓｗｉｒｓｋｉｉは、これらの害虫の防除に良好な効能を示す。
【００５８】
前記作物は、温室）野菜作物、例えば、唐辛子（トウガラシ（Ｃａｐｓｉｃｕｍ  ａｎｎｕｕｍ））、茄子（ナス（Ｓｏｌａｎｕｍ  ｍｅｌｏｇｅｎａ））、ウリ科植物（ウリ科（Ｃｕｃｕｒｂｉｔａｃｅａｅ））、例えば胡瓜（キュウリ（Ｃｕｃｕｍｉｓ  ｓａｔｉｖｕｓ））、メロン（マクワウリ（Ｃｕｃｕｍｉｓ  ｍｅｌｏ））、西瓜（スイカ（Ｃｉｔｒｕｌｌｕｓ  ｌａｎａｔｕｓ））；小果実（例えば、苺（オランダイチゴ（Ｆｒａｇａｒｉａ×ａｎａｎａｓｓａ）、木苺（キイチゴ（Ｒｕｂｕｓ  ｉｄｅａｕｓ）））；（温室）鑑賞作物（例えば、バラ、ガーベラ、キク）；または樹木作物、例えば、柑橘類（Ｃｉｔｒｕｓ  ｓｐｐ．）から選択することができるが、これらに限定されない。
【００５９】
さらに、本発明は、本発明の構成物を作物に供給することを含む、作物における生物学的害虫防除方法に関する。
【００６０】
前記害虫は、本発明の使用の場合と同様に選択することができる。
【００６１】
本発明の方法において、本構成物は、多数の作物植物の付近に、例えば上にまたは根本に、前記構成物の一定量を施用することにより、供給することができる。本構成物は、増加性の生物学的害虫防除に捕食性ダニ構成物を利用するための一般的な施行であるので、作物植物の上にまたは作物植物の根本にそれを単に散布することによって作物植物に供給することができる。散布により個々の作物植物各々に供給することができる本構成物の量は、１〜２０ｍＬ、例えば１〜１０ｍＬ、好ましくは２〜５ｍＬの範囲であり得る。
【００６２】
あるいは、本構成物は、作物に捕食性カブリダニを放飼するために適する本発明の飼育システムとして、多数の作物植物に供給することができる。本飼育システムは、多数の作物植物の付近に、例えば中にまたは根本に、置くことができる。
【００６３】
本発明の生物学的害虫防除方法では、すべての作物植物に本構成物を供給する必要がない場合もある。商品作物は、通常、密集して栽培されるからである。捕食性カブリダニは、作物植物から別の作物植物へと広がることができる。十分な作物保護をもたらすために本発明の構成物を供給しなければならない作物植物の数は、具体的な環境に依存し得、またそれは、当業者が経験を基に容易に決定できる。通常、１ヘクタール当たりの放飼される捕食性カブリダニ数を決定することが多い。この数は、１ヘクタール当たり１０００〜４，０００，０００、典型的には、１ヘクタール当たり１００，０００〜１，０００，０００または５０，０００〜５００，０００の範囲であり得る。
【００６４】
本発明の生物学的害虫防除方法のさらに好ましい実施形態において、作物は、本構成物の使用に関連して説明したとおり選択される。
【００６５】
さて、以下の実施例を参照しながら、本発明をさらに説明する。これらの実施例は、本発明の種々の態様の非限定的な実施形態を示すものである。
【発明を実施するための最良の形態】
【００６６】
【実施例１】
【００６７】
＜コナダニ  Ｃａｒｐｏｇｌｙｐｈｕｓ  ｌａｃｔｉｓ（サトウダニ）の大量飼育＞
パン酵母を含有する培地を用いてサトウダニを大量飼育した（Ｃｈｍｉｅｌｅｗｓｋｉ，Ｗ．，１９７１（ａ）；Ｃｈｍｉｅｌｅｗｓｋｉ，Ｗ．，１９７１（ｂ））。
【００６８】
この培養物を、２２℃と２５℃の間で８５から９０％の相対湿度の通気性容器（例えば、ダニが逃げるのを防止するために４７マイクロメートルの細目網を有する十分な通気穴を備えたバケット）の中に保持する。新たな培地を少なくとも毎週１度、追加することにより、首尾よく大量飼育を行うことができる。この量は、培地中のダニの数に依存するが、一般に、その培養物の最初の量の１００から３００％の間の培地を追加する。飼育層の厚さは、１から１０ｃｍであり得るが、代謝ガス、例えば二酸化炭素および酸素、ならびに代謝熱の最適な交換を確保するために厚すぎないようにする。ダニの培地に対するバイオマス重量百分率は、サトウダニをこの培地を用いて飼育したとき、２０％と３０％の間になった。一般に、この個体群は、週に２から４倍増加する。
【実施例２】
【００６９】
＜サトウダニでのＡｍｂｌｙｓｅｉｕｓ  ｓｗｉｒｓｋｉｉの大量飼育＞
担体として５から２５ｃｍの蕎麦殻の層を有する通気性容器（例えば、ダニが逃げるのを防止するために４７マイクロメートルの細目網とを有する、代謝ガスおよび熱の最適な交換を確保するために十分な通気穴を備えたバケット）の中で、Ａｍｂｌｙｓｅｉｕｓ  ｓｗｉｒｓｋｉｉを飼育する。
【００７０】
この担体層は、代謝ガス、例えば二酸化炭素および酸素、ならびに代謝熱の最適な交換を確保するために厚すぎてはならない。少なくとも毎週１度、サトウダニの飼育個体群を、１５％から３０％のダニの培地に対するバイオマス重量百分率で、その容器に追加する。
【００７１】
追加すべきサトウダニの量は、その飼育容器内に存在する捕食性カブリダニおよびサトウダニの数を基に計算する。最適には、新たなサトウダニを追加した後、捕食者の被食者に対する比率は、１：７から１：１２の間にするべきである。この培養物を、その飼育容器の中で、２２℃と２５℃の間の温度、８５から９０％の相対湿度および最大７５０ｐｐｍのＣＯ2レベルで保持する。このようにして、Ａｍｂｌｙｓｅｉｕｓ  ｓｗｉｒｓｋｉｉの飼育個体群は、週に２倍から３倍になり得る。一般に、飼育支持層１グラム当たり１００から５００匹の捕食性ダニの密度を達成することができる。
【実施例３】
【００７２】
＜幼若および成熟生活期のサトウダニでのＡｍｂｌｙｓｅｉｕｓ  ｓｗｉｒｓｋｉｉの産卵試験＞
この実験の目的は、Ａｍｂｌｙｓｅｉｕｓ  ｓｗｉｒｓｋｉが、サトウダニの幼若期（卵、幼虫および若虫）を好むかどうかを調べること、または、成熟生活期のこの人工寄主を用いることによってもＡｍｂｌｙｓｅｉｕｓ  ｓｗｉｒｓｋｉを飼養することが可能であることを調べることである。このために、Ａｍｂｌｙｓｅｉｕｓ  ｓｗｉｒｓｋｉｉの異なる飼育システム（一部は、幼若期のサトウダニで飼養し、他は、成体のサトウダニで飼養する）を作った。食餌源が成熟期のサトウダニである場合で１日当たりＡｍｂｌｙｓｅｉｕｓ  ｓｗｉｒｓｋｉｉ雌１匹について生まれた卵の平均数の差を、食餌源が幼若期のサトウダニである場合と比較する。
【００７３】
材料および方法
実験開始時、Ａｍｂｌｙｓｅｉｕｓ  ｓｗｉｒｓｋｉｉ成体を、数週間前に開始したＡｍｂｌｙｓｅｉｕｓ  ｓｗｉｒｓｋｉｉ大量培養物から取った。３０匹の若い成体の雌および１２匹の雄をこの大量培養物からピックアップし、６つの新たに準備した飼育容器に移した。Ａｍｂｌｙｓｅｉｕｓ  ｓｗｉｒｓｋｉｉの５匹の雌および２匹の雄を各容器に入れた。それらのうちの３つには、食餌源として、十分な量の幼若期のサトウダニを入れた。残りの３つの試験培養物は、サトウダニの成体で飼養した。
【００７４】
６つの試験培養物を準備したら、それらを、制御された温度（２５℃）および湿度（７５％）の条件下の人工気候室内に配置した。この条件で２または３日後、それらを取り出した。前のものと同様の６つの新たな飼育容器を準備して、前に用いたのと同じ５匹の雌および２匹の雄を移した。前の段階の場合のように、食餌源として十分な量の幼若または成熟期のサトウダニを各試験容器に追加した。雄および雌を移した後、それらを移した後のその飼育容器の中の卵の数を数えた。
【００７５】
古い飼育システムは、二回目の計数のために２または３日の間その人工気候室内で保存して、隠れている可能性のある子孫を検出し、その後、破壊した。古い飼育システムと同様に、新しいものも保存して、同じ手順を繰り返した。毎日、各飼育容器内のサトウダニの残量をチェックした。必要に応じて、十分な量を追加した。
【００７６】
新しい飼育システムの子孫数の評価（最初の計数）と古い飼育システムの子孫数の評価（２回目の計数）の両方によって、２または３日ごとにデータを得た。雌の数を基準にして、および各飼育容器において見つけた子孫の総量を基準にして、１日に雌１匹について生まれた卵の平均数を得た。
【００７７】
結果
＜食餌源としての成熟期のサトウダニ＞
（２〜３日に１度、評価を行う）全実験中の雌１匹について生まれた卵の数の進展を比較すると、平均は、卵１．２７から２．０７個／雌／日の範囲である。
【００７８】
全期間についての総合平均は、１日に雌１匹につき卵１．８０個である。雌１匹について生まれた卵の総量は、１６日間の期間で約２９個である。第一、第二および第三の独立した飼育容器についての１日に雌１匹について生まれた卵の平均数を比較すると、これらは、それぞれ、１．８４、１．７２および１．８５である。この実験データを下の表１に提示する。
【００７９】
【表１】
2008526198.tif 000002
【００８０】
＜食餌源としての幼若期のサトウダニ＞
（２〜３日に１度、評価を行う）全実験中の雌１匹について生まれた卵の数の進展を比較すると、平均は、卵１．４３から２．０７個／雌／日の範囲であることが判明した。
【００８１】
全期間についての平均は、１日に雌１匹につき卵１．８４個である。雌１匹について生まれた卵の総量は、１８日間の期間で約３３個である。３つの独立した飼育容器についての１日に雌１匹について生まれた卵の平均数を比較すると、第一、第二および第三飼育システムについての平均は、それぞれ、１．７２、１．８９および１．８１である。結果を下の表２に示す。
【００８２】
【表２】
2008526198.tif 000003
結果は、Ａｍｂｌｙｓｅｉｕｓ  ｓｗｉｒｓｋｉｉが、幼若期と成熟期、両方のサトウダニを用いて繁殖できることを示している。
【実施例４】
【００８３】
＜サトウダニでのククメリスカブリダニの産卵＞
実施例３において説明したのと同じ一般実験アウトラインで、サトウダニを食餌源として使用したときのククメリスカブリダニ雌１匹について生まれた卵の平均数を判定した。
【００８４】
しかし、この実験では、人工寄主の幼若体および成体についての区別的な判定は行わなかった。その代わりに、サトウダニ個体群の個体を非選択的に追加した。
【００８５】
結果
（２〜３日に１度、評価を行う）全実験中の雌１匹について生まれた卵の数の進展を比較すると、平均が卵１．７２個／雌／日である第一期間（２日間）をよけて、次の５日間の平均は、卵２．１７から２．３１個／雌／日の範囲であることが認められる。全期間についての総合平均は、卵２．１３個／雌／日である。このデータを下の表３に提示する。
【００８６】
【表３】
2008526198.tif 000004
結果は、ククメリスカブリダニが、サトウダニを用いて繁殖できることを示している。
【００８７】
［参考文献］
【表４Ａ】
2008526198.tif 000005
【表４Ｂ】
2008526198.tif 000006
【表４Ｃ】
2008526198.tif 000007
【表４Ｄ】
2008526198.tif 000008
【図面の簡単な説明】
【００８８】
【図１】参照する科および種の概要を図１に提供する。
【図１】
2008526198.tif 000009
【国際調査報告】
2008526198.tif 000010